(57)【要約】【課題】本発明は、ハウジングを含むスイッチアセンブリを提供する。【解決手段】ハウジングの前面上のエスカッション部分は、高くなったプラットフォームを有する。移行傾斜面は、プラットフォームからレスト領域まで延在し、指領域はレスト領域に隣接する。周囲枠は、レスト領域と整列した対向する切欠きをエスカッション部分が画定するように、指領域を囲む。ハンドルは、軸方向孔を通って挿入される枢動ピンがハンドルをハウジングに回動可能に連結するように、軸方向孔を有するハブを有する。つまみはハブから延在する。つまみは、レスト領域に選択的に当接するための表面と、指が指領域内へ挿入されるときの手動操作のためのテクスチャ加工部分とを有する。【選択図】図１Ａ
2017199674.tif 000002
【特許請求の範囲】
【請求項１】
内部を画定し、かつ前面、前記前面に対向する後面、ならびに前記前面と後面との間に延在する対向する第１及び第２の側壁を有するハウジングと、
前記前面上のエスカッション部分であって、前記エスカッションが、前記前面上のプラットフォーム、前記プラットフォームからレスト領域まで延在する移行傾斜面、前記レスト領域に隣接する指領域、及び前記レスト領域と整列した対向する切欠きを前記エスカッション部分が画定するように前記指領域を囲む周囲枠を有する、エスカッション部分と、
ハンドルであって、前記内部に回動可能に取り付けられたハブ、及び前記ハブから前記移行傾斜面内に形成されるスロットまで延在するつまみを含み、前記つまみがテクスチャ加工部分及び第１の位置で前記レスト領域に当接するための表面を有し、前記ハンドルが、手動操作によって、または既定条件が満たされた場合には自動的に、第２の位置へ選択的に動く、ハンドルと
を備えるスイッチアセンブリ。
【請求項２】
前記ハンドルがウェビングを含み、前記ハウジングが、前記ウェビングを回動可能に受容するため、及び前記内部内で前記ハンドルを支持するための対向するスロットを画定する、請求項１に記載のスイッチアセンブリ。
【請求項３】
前記ハンドルが、前記ハブを通る軸方向孔を画定し、ならびに、前記ハウジングに取り付けられ、かつ対向するアームを有する枠であって、各アームが開口部を画定する遠位端を有する、枠と、前記アームの遠位端の前記開口部及び前記軸方向孔を通って挿入されて前記ハンドルを前記枠に回動可能に連結する枢動ピンとをさらに備える、請求項１に記載のスイッチアセンブリ。
【請求項４】
前記ハンドルが前記ハブから延在する安全突起部を有する、請求項１に記載のスイッチアセンブリ。
【請求項５】
前記平面レスト領域が前記前面と実質的に同一平面上にある、請求項１に記載のスイッチアセンブリ。
【請求項６】
前記ハウジングが対向する両半分から形成され、かつ前記スイッチ装置が回路遮断器である、請求項１に記載のスイッチアセンブリ。
【請求項７】
前記ハンドルが前記第１の位置にあるとき、前記ハンドルの前記つまみが前記切欠き間に延在する軸方向通路を画定する、請求項１に記載のスイッチアセンブリ。
【請求項８】
前面を有するハウジングを有するスイッチアセンブリのエスカッション部分であって、
前記前面上のプラットフォームと、
前記プラットフォームから分離され、かつ前記プラットフォームに対して比較的低い平面レスト領域と、
前記プラットフォームから前記平面レスト領域まで延在する移行傾斜面と、
前記平面レスト領域に隣接する指領域と、
前記平面レスト領域と整列した対向する切欠きを前記エスカッション部分が画定するように前記指領域を囲む周囲枠と
を備えるスイッチアセンブリのエスカッション部分。
【請求項９】
前記移行傾斜面が、前記ハウジングの内部に回動可能に取り付けられたハンドルの回動運動を可能にするためのスロットを画定し、前記ハンドルが、第１の部分で前記レスト領域に選択的に当接するための平面表面を有するつまみと、前記指領域内に指を置くことによる手動操作のためのテクスチャ加工部分とを有する、請求項８に記載のスイッチアセンブリのエスカッション部分。
【請求項１０】
前記プラットフォームが前記前面より高い位置にある、請求項８に記載のスイッチアセンブリのエスカッション部分。
【請求項１１】
内部を画定し、かつ前面、前記前面に対向する後面、ならびに前記前面と後面との間に延在する対向する第１及び第２の側壁を有するハウジングと、
前記前面上のエスカッション部分であって、前記エスカッションが、前記前面より高い位置にあるプラットフォーム、前記プラットフォームから平面レスト領域まで延在する移行傾斜面、前記平面レスト領域に隣接する指領域、及び前記平面レスト領域と整列した対向する切欠きを前記エスカッション部分が画定するように前記指領域を囲む周囲枠を有する、エスカッション部分と、
軸方向孔を有するハブ、及び前記ハブから延在するつまみを有するハンドルであって、前記つまみが前記レスト領域に選択的に当接するための平面表面及び手動操作用のテクスチャ加工部分を有する、ハンドルと、
前記ハウジングに取り付けられ、かつ対向するアームを有する枠であって、各アームが開口部を画定する遠位端を有する、枠と、
前記アームの遠位端の前記開口部及び前記軸方向孔を通って挿入されて、前記ハンドルを前記枠に回動可能に連結する枢動ピンと
を備えるスイッチアセンブリ。
【請求項１２】
前記ハウジングが対向する両半分から形成され、前記スイッチ装置が回路遮断器である、請求項１１に記載のスイッチアセンブリ。
【発明の詳細な説明】
【技術分野】
【０００１】
本主題の開示は、スイッチ、及びより具体的には、スイッチの不用意な操作を防ぐ安全機能付きの回路遮断器型スイッチに関する。
【背景技術】
【０００２】
回路遮断器は、回路故障状態が発生したとき、自動的にトリップして、監視された回路内の電気路を安全のために中断する周知の装置である。例えば、故障状態は、過電圧状態、アーク故障、電流過負荷、または地絡であり得る。典型的な回路遮断器では、ラッチ機構が回路遮断器接点の係合を維持する。しかしながら、ラッチ機構はまた、故障状態下で迅速かつ確実にトリップするのに十分なほど感度が高い。回路中断は通常、可動接点を固定接点から分離させることより達成される。ラッチ機構の多くの変形は、特許文献１〜８などに示されるように、可能である。
【０００３】
トグルスイッチ付きの回路遮断器は、「オン」位置と「オフ」位置との間の回路遮断器の手動操作を提供することで良く知られる。しかしながら、トグルスイッチは、両方の位置からの不測の操作が生まれやすい。そのような不測の操作の費用は膨大になり得る。その結果、そのような不測の操作を防ぐために様々な止め具が発明されてきた。例えば、特許文献９を参照されたい。ロッカースイッチなどの他の装置も不測の操作を防ぐために開発されている。ロッカースイッチは、不所望により大きな装置をもたらすハンドル連結部をいくつかある機能の中でも特に要する。
【先行技術文献】
【特許文献】
【０００４】
【特許文献１】米国特許第２，２４６，２９８号明細書
【特許文献２】米国特許第２，４３９，５１１号明細書
【特許文献３】米国特許第３，１９８，９０６号明細書
【特許文献４】米国特許第４，０４２，８９４号明細書
【特許文献５】米国特許第４，７８９，８４８号明細書
【特許文献６】米国特許第６，２３９，９６２号明細書
【特許文献７】米国特許第７，２６８，６５４号明細書
【特許文献８】米国特許第７，８６３，５３４号明細書
【特許文献９】米国特許第６，１６０，２２７号明細書
【発明の概要】
【課題を解決するための手段】
【０００５】
このことから、薄型形状でかつ容易に不用意に操作されることのない安全ハンドル構成を有するスイッチが必要とされる。
【０００６】
本開示は、内部を画定するハウジングを含むスイッチアセンブリを対象とする。ハウジングは、実質的に囲まれた矩形の箱を形成するために、前面、前面に対向する後面、ならびに前面と後面との間に延在する第１及び第２の側壁を有する。前面上のエスカッション部分はプラットフォームを含む。移行傾斜面はプラットフォームからレスト領域まで延在する。指領域がレスト領域に隣接し、周囲枠が、レスト領域と整列した対向する切欠きをエスカッション部分が画定するように、指領域を囲む。ハンドルは、内部に回動可能に取り付けられたハブを有する。ハンドルのつまみは、ハブから、移行傾斜面内に形成されるスロットまで延在する。つまみは、テクスチャ加工部分と、第１の位置でレスト領域に当接するための表面とを有する。ハンドルは、手動操作によって、または既定条件が満たされた場合には自動的に、第２の位置へと選択的に動く。好ましくは、ハンドルはウェビングを含み、ハウジングは、ウェビングを回動可能に受容するため、及び内部内でハンドルを支持するための対向するスロットを画定する。
【０００７】
別の実施形態において、ハンドルは、ハブを通る軸方向孔を画定し、枠は、対向するアームと共にハウジングに取り付けられ、各アームは開口部を画定する遠位端を有する。枢動ピンは、アームの遠位端の開口部及び軸方向孔を通って挿入されて、ハンドルを枠に回動可能に連結する。ハンドルは、ハブから延在する安全突起部を有し得る。平面レスト領域は、典型的には、前面と実質的に同一平面上にある。ハンドルのつまみは、ハンドルが第１の位置にあるとき、切欠き間に延在する軸方向通路を画定し得る。
【０００８】
本開示の別の実施形態は、前面を有するハウジングを有するスイッチアセンブリのエスカッション部分を含む。エスカッション部分は、前面上のプラットフォームと、プラットフォームから分離され、かつプラットフォームに対して比較的低い平面レスト領域と、プラットフォームから平面レスト領域まで延在する移行傾斜面と、平面レスト領域に隣接する指領域と、平面レスト領域と整列した対向する切欠きをエスカッション部分が画定するように指領域を囲む周囲枠とを含む。移行傾斜面は、ハウジングの内部に回動可能に取り付けられたハンドルの回動運動を可能にするためのスロットを画定し得、ハンドルは、第１の位置でレスト領域に選択的に当接するための平面表面を有するつまみと、指領域に指を置くことによる手動操作のためのテクスチャ加工部分とを有する。典型的には、プラットフォームは前面よりも高い位置にある。
【０００９】
本開示のなおも別の実施形態は、内部を画定しかつ前面を有するハウジングを含むスイッチアセンブリを含む。後面は前面に対向し、対向する第１及び第２の側壁は、前面と後面との間に延在する。前面上のエスカッション部分は、高くなったプラットフォームを有する。移行傾斜面は、プラットフォームから平面レスト領域まで延在し、指領域は平面レスト領域に隣接する。周囲枠は、平面レスト領域と整列した対向する切欠きをエスカッション部分が画定するように、指領域を囲む。ハンドルは、軸方向孔を通って挿入される枢動ピンがハンドルを枠及び／またはハウジングに回動可能に連結するように、軸方向孔を有するハブを有する。つまみはハブから延在する。つまみは、レスト領域に選択的に当接するための平面表面と、指が指領域内へ挿入されるときの手動操作のためのテクスチャ加工部分とを有する。枠がハンドルを支持するために使用される場合、枠は、ハウジングに取り付けられ、かつ対向するアームを有する。各アームは、枢動ピンを受容するための開口部を画定する遠位端を有する。
【００１０】
本主題の技術は、現在知られる及び後に開発される用途のためのプロセス、器械、システム、装置、方法を含むがそれらに限定されない多数の手段で実装及び利用され得ることを理解されたい。本明細書に開示されるシステムのこれら及び他の固有の機能は、以下の説明及び添付の図面からより容易に明らかになるものとする。
【００１１】
開示された技術に属する当業者が、同様のものを作製及び使用する方法をより容易に理解するように、以下の図面を参照することができる。
【図面の簡単な説明】
【００１２】
【図１Ａ】本主題の開示に従う「オフ」位置でのスイッチアセンブリの前面図である。
【図１Ｂ】本主題の開示に従う「オン」位置でのスイッチアセンブリの前面図である。
【図１Ｃ】本主題の開示に従う「オフ」位置でのスイッチアセンブリの側面図である。
【図１Ｄ】本主題の開示に従う「オン」位置でのスイッチアセンブリの側面図である。
【図１Ｅ】本主題の開示に従う「オフ」位置でのスイッチアセンブリの上面図である。
【図１Ｆ】本主題の開示に従う「オン」位置でのスイッチアセンブリの上面図である。
【図２】本主題の開示に従うスイッチアセンブリの分解組立図である。
【図３】本主題の開示に従う「オフ」位置でのスイッチアセンブリの内部図である。
【図４】本主題の開示に従う「オン」位置でのスイッチアセンブリの内部図である。
【図５Ａ】本主題の開示に従うスイッチアセンブリのためのハンドルの図である。
【図５Ｂ】本主題の開示に従うスイッチアセンブリのためのハンドルの図である。
【図５Ｃ】本主題の開示に従うスイッチアセンブリのためのハンドルの図である。
【図５Ｄ】本主題の開示に従うスイッチアセンブリのためのハンドルの図である。
【図５Ｅ】本主題の開示に従うスイッチアセンブリのためのハンドルの図である。
【図６】本主題の開示に従うスイッチアセンブリのためのハウジングの半分の内側図である。
【発明を実施するための形態】
【００１３】
本主題の技術は、スイッチの不用意な操作と関連した先行技術の問題の多くを克服する。本明細書に開示される技術の利点及び他の機能は、特定の好ましい実施形態についての以下の詳細な説明を、本技術の代表的な実施形態を示す図面と併せて参照することで、当業者にはより容易に明らかとなるであろう。これらの図面において、同様の参照番号は同様の構造要素を特定する。概略すると、本主題の技術は、典型的には不用意に操作されず、かつスナップ抵抗性のあるハンドル付きの薄型形状のスイッチアセンブリである。本スイッチアセンブリは、典型的には、スイッチアセンブリの一部分を包囲する開口部を含むパネルの裏に取り付けられる。本主題の技術の１つの用途は、油圧磁気回路遮断器であるが、この技術は他の領域及び種類にも等しく適用可能である。
【００１４】
ここで図１Ａ〜Ｆを参照すると、本主題の技術に従うスイッチアセンブリ１００の斜視図が示される。スイッチアセンブリ１００は、前面１０４及び後面１０６を有するハウジング１０２を有する。対向する側壁１０８が、前面及び後面１０４、１０６の間に延在して内部１０５を形成する。ハウジング１０２は、ハウジング穴１０７を通って挿入されるリベットまたはねじなどの留め金具（図示されず）で一緒に保持される両半分１１０から形成される。典型的には、端子１０９が後面１０６から延在する。任意の種類の端子が利用され得る。パネル挿入部１１７は、スイッチアセンブリ１００をパネル（図示されず）に連結することを可能にする。
【００１５】
前面１０４上のエスカッション部分１１２は、ハウジング１０２内に形成されるスロット１１１を通るハンドル１５０を部分的に囲む。エスカッション部分１１２は、パネル内の開口部（図示されず）を通るようにサイズ決定及び構成される。パネルの厚さ、開口部のサイズなどに応じて、様々な構成が想定される。エスカッション部分１１２は、高くなったプラットフォーム１１４、及びプラットフォーム１１４から平面レスト領域１１８まで延在する移行傾斜面１１６を有する。くぼんだ指領域１２０は、平面レスト領域１１８に隣接する。エスカッション部分１１２はまた、指領域１２０を囲む周囲枠１２２を含む。そのため、周囲枠１２２は、周辺パネル（図示されず）が比較的薄い場合でさえも、最低限の高さが隆起した保護を提供する保護装置として機能する。エスカッション部分１１２は、平面レスト領域１１８と整列した対向する切欠き１１９を画定する。
【００１６】
ハンドル１５０は、「オン」位置と「オフ」位置との間でそれぞれ、スイッチアセンブリ１００を操作するために使用される。ハンドル１５０はつまみ１５８を有する。つまみ１５８は、典型的には「オフ」及び「オン」という文字が上に刻印された印刷部分１６０を有する。構成に応じて、他の文字及び／または記号も印刷部分１６０上に印刷され得る。つまみ１５８の平面表面１６２は、レスト領域１１８に選択的に当接する。使用者は、典型的には、平面表面１６２と印刷部分１６０との間に延在するテクスチャ加工部分１６４に触れる。当業者によって理解されるように、スイッチアセンブリ１００は、エスカッション部分１１２によって、不用意な操作から十分に保護されたハンドル１５０を有する。
【００１７】
ここで図２を参照すると、スイッチアセンブリ１００の分解組立図が示される。ハンドル１５０は、軸方向孔１５４（図５Ｃで最も良く分かる）を有するハブ１５２を有する。つまみ１５８はハブ１５２から延在する。ウェビング１５６はハブ１５２から延在する。ウェビング１５６は、ハブ１５２を完全に包囲するわけではないが、使用者に十分な間隔及び保護を提供する。例えば、ウェビング１５６は、適切な上表面沿面距離を保証する。ウェビング１５６はまた、スロット１３０（図６で最も良く分かる）内を走る。要するに、ハンドル１５０はハウジング１０２に連結される。
【００１８】
ハンドル１５０はまた、軸方向孔１５４を通る枢動ピン１２４によってハウジング１０２に取り付けられる。枢動ピン１２４の各端１２６ａ、１２６ｂは、ハウジング１０２の各半分１１０内に形成される内カップ１２８（図６を参照のこと）内で捕捉される。ハウジング１０２は、各カップ１２８の周りに弓状スロット１３０を形成する。スロット１３０は、およそ１８０度である。これらのアプローチのうちの１つのみが十分であるとしても、スロット１３０内で摺動可能に捕捉されるウェビング１５６及びカップ１２８内で捕捉される枢動ピン１２４を使用してハウジング１０２内でハンドル１５０を連結することが、ハンドル１５０の堅固な支持を提供する。
【００１９】
ハンドル１５０及び他のコンポーネントのなおもさらなる支持のため、枠２００は、様々なコンポーネント用の取り付け場所を提供するためのハウジング１０２に取り付けられる。枠２００は、ハウジング１０２に取り付けるための連結タブ２０４を有する平面本体部２０２を有する。枠２００は、開口部２１０を画定する遠位端２０８を有する本体部２０２から延在する対向するアーム２０６を有する。ハンドル１５０のさらなる支持のため、枢動ピン１２４は開口部２１０も通る。別の実施形態において、枠２００は遠位に延在せず、その結果、枢動ピン１２４は、ハウジングカップ１２８、枢動ピン１２４、またはそれらの組み合わせによって単独で支持される。なおも別の実施形態において、枠アーム２０６は、単独かつ完全にハンドル１５０を支持する。枠２００はまた、対向する開口部の中間対２１２及び対向する開口部の下部対２１４を形成する。各対２１２、２１４は、回転コンポーネントを支える追加のピンを支持することができる。
【００２０】
ここで図３及び４を参照すると、「オフ」及び「オン」位置でのスイッチアセンブリ１００の内部図が示される。ハンドル１５０は、同様にハウジング１０２及び枠２００によって支持される折畳みラッチ機構２５０に連結する。ラッチ機構２５０は、選択された位置においてハンドル１５０を係止すると同時に、特定の条件が満たされた場合には、スイッチアセンブリ１００をオフ位置へと自動的にトリップさせる。ハンドル１５０はまた、ばね付勢されて、使用者が選択した位置に留まる。ラッチ機構２５０は、様々な条件下かつ様々な速度でトリガするように調整された様々なコンポーネントを有することができる。一実施形態において、スイッチアセンブリ１００は、最大６００Ｖまでの使用が許されるが、典型的には、事前選択された電流レベルでトリップする。
【００２１】
ラッチ機構２５０は、「オン」位置において第１の端子部分１３４の第１の接点１３２を係合する接点２５３を有する可動接点バー２５２を含む。当業者によって理解されるように、図３及び４のスイッチアセンブリ１００は、他の図に示されるものとは異なる端子構成を有する。接点バー２５２は、第２の端子部分１３５の第２の接点１３３に連結するコイル２５４に連結される。接点バー２５２はまた、下部開口部対２１４を介して枠２００に連結される。「オフ」位置において、接点バー２５２は、第１の接点１３２から遠ざかって、端子１３４、１３５間の電気的連続性を中断する。接点バー２５２は、連結部２５６への接続によって動かされる。連結部２５６は、ハンドル１５０の肩部１６８内に形成される孔１６６への接続によって駆動される。接点バー２５２はまた、中間開口部対２１２を介して枠２００に固定される。
【００２２】
連結部２５６は、「オン」位置において接点バー２５２を係止するが、解放アーマチャ２５８及びカム２５９は、過電流の場合には接点バーを「オフ」位置へとトリップさせることが可能である。解放アーマチャ２５８は、第１の端２６２が「オン」位置において遅延管２６０に隣接するように、回動可能に取り付けられる。通常操作中、コイル２５４が金属遅延管２６０に巻き付くにもかかわらず、遅延管２６０は、解放アーマチャ２５８の第１の端２６２をそこへ引き付けるほど十分には磁化されない。しかしながら、コイル２５４内の電流などの操作パラメータが増大するにつれて、増大した磁界が遅延管２６０を磁化し、その結果、解放アーマチャ２５８がそこに引き付けられる。解放アーマチャ２５８の第１の端２６２が磁気的に遅延管に吸引されると、解放アーマチャ２５８が接点バー２５２を「オフ」位置へとトリップさせる。マルチトリップレバー２５７は、「トリップ」信号を１つの極から隣接する極へと機械的に転送する。当業者によって理解されるように、コイル２５４、遅延管２６０、解放アーマチャ２５８、及び様々なコンポーネントは、接続の位置など、既定条件でトリガを生み出すように調整され得る。
【００２３】
ここで図５Ａ〜Ｅを参照すると、ハンドル１５０の様々な図が示される。ハンドル１５０は、間隔及び安全操作を提供するようにサイズ決定及び構成されるが、有利に、スイッチアセンブリ１００は比較的に薄型の全体形状を維持する。例えば、ハブ１５２及びウェビング１５６は、使用者がいかなる内部の電流が通じたコンポーネントとも接触することを防ぐ。ハンドル１５０は、「オン」位置においてハウジング１０２の内部１０５内でプラットフォーム１１４の下に形成されるくぼみ１４０（図４及び６で最も良く分かる）に適合する「オン」側の安全突起部１７０を含む。ハンドル１５０はまた、「オフ」位置においてハウジング１０２の内部１０５内でレスト領域１１８の下に形成される出っ張り１７４（図３及び６で最も良く分かる）に好ましくは当接するか、または少なくとも隣接する「オフ」側の安全突起部１７２を含む。これらの安全突起部１７０、１７２は、電流の通じたコンポーネントからの十分な間隔及び保護を使用者に提供する。
【００２４】
ハンドル１５０のつまみ１５８は、ハンドル１５０が「オン」位置にあるとき、切欠き１１９間に延在する軸方向通路１６５を画定する。その結果、複数のスイッチ１００が隣接して取り付けられ得、ハンドル１５０は、１つ以上の接続棒を軸方向通路１６５を通して置くことによって連動され得る。
【００２５】
当業者であれば、いくつかの要素の機能は、代替実施形態において、より少ない要素または単一要素によって実行され得ることが理解されよう。同様に、いくつかの実施形態において、任意の機能的要素が実施する操作は、例証された実施形態に対して説明される操作よりも少なくてもよく、またはそれらとは異なってもよい。また、例証の目的のために区別して示される機能的要素（例えば、連結部、アーマチャ、留め金具、ばね、コイルなど）は、特定の実装においては他の機能要素内に組み込まれ得る。さらに、本主題の技術は回路遮断器の分野に関して説明されているが、本主題の技術は、配線及び配向にかかわらず１つ、２つ、または３つの極構成など、他の分野または用途に等しく適用可能であることが想定される。
【００２６】
本明細書に開示される全ての特許、特許出願、及び他の参照は、参照によりその全体が本明細書に明白に組み込まれる。本主題の技術は好ましい実施形態に関して説明されているが、当業者は、様々な変更及び／または修正が、添付の特許請求の範囲により定義されるような本発明の趣旨または範囲を逸脱することなく、本主題の技術になされ得ることを容易に理解するものとする。例えば、各特許請求項は、多項従属請求項内の任意または全ての特許請求項に、たとえそのようなものが元々は特許請求されていないとしても、従属し得る。
【図１Ａ】
2017199674.tif 000003
【図１Ｂ】
2017199674.tif 000004
【図１Ｃ】
2017199674.tif 000005
【図１Ｄ】
2017199674.tif 000006
【図１Ｅ】
2017199674.tif 000007
【図１Ｆ】
2017199674.tif 000008
【図２】
2017199674.tif 000009
【図３】
2017199674.tif 000010
【図４】
2017199674.tif 000011
【図５Ａ】
2017199674.tif 000012
【図５Ｂ】
2017199674.tif 000013
【図５Ｃ】
2017199674.tif 000014
【図５Ｄ】
2017199674.tif 000015
【図５Ｅ】
2017199674.tif 000016
【図６】
2017199674.tif 000017
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
内部を画定し、かつ前面、前記前面に対向する後面、ならびに前記前面と後面との間に延在する対向する第１及び第２の側壁を有するハウジングと、
前記前面上のエスカッション部分であって、前記エスカッションが、前記前面上のプラットフォーム、前記プラットフォームからレスト領域まで延在する移行傾斜面、前記レスト領域に隣接する指領域、及び前記レスト領域と整列した対向する切欠きを前記エスカッション部分が画定するように前記指領域を囲む周囲枠を有する、エスカッション部分と、
ハンドルであって、前記内部に回動可能に取り付けられたハブ、及び前記ハブから前記移行傾斜面内に形成されるスロットまで延在するつまみを含み、前記つまみがテクスチャ加工部分及び第１の位置で前記レスト領域に当接するための表面を有し、前記ハンドルが、手動操作によって、または既定条件が満たされた場合には自動的に、第２の位置へ選択的に動く、ハンドルと
を備えるスイッチアセンブリ。
【請求項２】
前記ハンドルがウェビングを含み、前記ハウジングが、前記ウェビングを回動可能に受容するため、及び前記内部内で前記ハンドルを支持するための対向するスロットを画定する、請求項１に記載のスイッチアセンブリ。
【請求項３】
前記ハンドルが、前記ハブを通る軸方向孔を画定し、ならびに、前記ハウジングに取り付けられ、かつ対向するアームを有する枠であって、各アームが開口部を画定する遠位端を有する、枠と、前記アームの遠位端の前記開口部及び前記軸方向孔を通って挿入されて前記ハンドルを前記枠に回動可能に連結する枢動ピンとをさらに備える、請求項１に記載のスイッチアセンブリ。
【請求項４】
前記ハンドルが前記ハブから延在する安全突起部を有する、請求項１に記載のスイッチアセンブリ。
【請求項５】
前記平面レスト領域が前記前面と実質的に同一平面上にある、請求項１に記載のスイッチアセンブリ。
【請求項６】
前記ハウジングが対向する両半分から形成され、かつ前記スイッチ装置が回路遮断器である、請求項１に記載のスイッチアセンブリ。
【請求項７】
前記ハンドルが前記第１の位置にあるとき、前記ハンドルの前記つまみが前記切欠き間に延在する軸方向通路を画定する、請求項１に記載のスイッチアセンブリ。
【請求項８】
前面を有するハウジングを有するスイッチアセンブリのエスカッション部分であって、
オン位置とオフ位置との間の動きのために前記ハウジングの内部に回動可能に取り付けられたハンドルと、
前記前面上のプラットフォームと、
前記プラットフォームから分離され、かつ前記プラットフォームに対して比較的低い平面レスト領域であり、前記ハンドルが、前記オン位置において前記平面レスト領域に隣接する、平面レスト領域と、
前記プラットフォームから前記平面レスト領域まで延在する移行傾斜面と、
前記平面レスト領域に隣接する指領域と、
前記ハンドルが前記オン位置にあるとき、前記ハンドルを前記オフ位置へと手動で操作するために指が前記指領域内に挿入され得るように前記指領域を囲む周囲枠と
を備え、前記オン位置では、前記ハンドルが前記プラットフォームと同じ高さである、スイッチアセンブリのエスカッション部分。
【請求項９】
前記移行傾斜面が、前記ハンドルの回動運動を可能にするためのスロットを画定し、前記ハンドルが、前記オン位置で前記平面レスト領域に選択的に当接するための平面表面を有するつまみと、前記指領域内に前記指を置くことによる手動操作のためのテクスチャ加工部分とを有する、請求項８に記載のスイッチアセンブリのエスカッション部分。
【請求項１０】
前記プラットフォームが前記前面より高い位置にある、請求項８に記載のスイッチアセンブリのエスカッション部分。
【請求項１１】
内部を画定し、かつ前面、前記前面に対向する後面、ならびに前記前面と後面との間に延在する対向する第１及び第２の側壁を有するハウジングと、
前記前面上のエスカッション部分であって、前記エスカッションが、前記前面より高い位置にあるプラットフォーム、前記プラットフォームから平面レスト領域まで延在する移行傾斜面、前記平面レスト領域に隣接する指領域、及び前記平面レスト領域と整列した対向する切欠きを前記エスカッション部分が画定するように前記指領域を囲む周囲枠を有する、エスカッション部分と、
軸方向孔を有するハブ、及び前記ハブから延在するつまみを有するハンドルであって、前記つまみが前記レスト領域に選択的に当接するための平面表面及び手動操作用のテクスチャ加工部分を有する、ハンドルと、
前記ハウジング内に取り付けられ、かつ対向するアームを有する枠であって、各アームが開口部を画定する遠位端を有する、枠と、
前記アームの遠位端の前記開口部及び前記軸方向孔を通って挿入されて、前記ハンドルを前記枠に回動可能に連結する枢動ピンと
を備えるスイッチアセンブリ。
【請求項１２】
前記ハウジングが対向する両半分から形成され、前記スイッチ装置が回路遮断器である、請求項１１に記載のスイッチアセンブリ。
【請求項１３】
前記オフ位置では、前記ハンドルが前記プラットフォームの上に延在する、請求項８に記載のスイッチアセンブリのエスカッション部分。
【請求項１４】
前記平面レスト領域、前記傾斜面、及び前記周囲枠が、対向する切欠きを画定する、請求項８に記載のスイッチアセンブリのエスカッション部分。
【請求項１５】
前記ハンドルの一部分が、前記オン位置では前記平面レスト領域に隣接し、かつ前記切欠きの形状に一致するように略台形である断面プロファイルを有する、請求項１４に記載のスイッチアセンブリのエスカッション部分。
【請求項１６】
前記オン位置では、前記ハンドルが、前記切欠き内へ延在し、前記切欠き間に延在する孔を画定する、請求項１５に記載のスイッチアセンブリのエスカッション部分。
【請求項１７】
一対の回路遮断器であって、各回路遮断器が、
前面を有しかつ内部を画定するハウジング、
オン位置とオフ位置との間の動きのために前記内部に回動可能に取り付けられたハンドル、及び
レスト領域を囲み、かつ前記レスト領域と整列した対向する切欠きを画定する周囲枠であって、前記ハンドルが前記オン位置にあるとき、前記ハンドルが前記レスト領域に隣接し、前記ハンドルが前記切欠きと整列した孔を画定する、周囲枠を備える、一対の回路遮断器と、
いずれかのハンドルが操作される場合に、両方のハンドルが操作されるように前記孔に連結された連結部と
を備える回路遮断器アセンブリ。
【請求項１８】
前記ハンドルのうちの１つを前記オン位置から前記オフ位置へと手動で操作するために指が指領域内へ挿入され得るように、前記周囲枠のうちの少なくとも１つが前記指領域を囲む、請求項１７に記載の回路遮断器アセンブリ。
【請求項１９】
各回路遮断器が、
前記前面上のプラットフォームと、
前記オン位置では、前記ハンドルが前記プラットフォームと同じ高さか、またはそれより低くなるように、前記プラットフォームから分離され、かつ前記プラットフォームに対して比較的低い平面レスト領域と
を含む、請求項１７に記載の回路遮断器アセンブリ。
【請求項２０】
前面を有するハウジングを有するスイッチアセンブリのエスカッション部分であって、
オン位置とオフ位置との間の動きのために前記ハウジングの内部に回動可能に取り付けられたハンドルと、
前記前面上のプラットフォームと、
前記プラットフォームから分離され、かつ前記プラットフォームに対して比較的低い平面レスト領域であり、前記ハンドルが、前記オン位置において前記平面レスト領域に隣接する、平面レスト領域と、
前記プラットフォームから前記平面レスト領域まで延在する移行傾斜面と、
前記平面レスト領域に隣接する指領域と、
前記ハンドルが前記オン位置にあるとき、前記ハンドルを前記オフ位置へと手動で操作するために指が前記指領域内に挿入され得るように前記指領域を囲む周囲枠と
を備え、前記オフ位置では、前記ハンドルが前記プラットフォームの上に延在する、スイッチアセンブリのエスカッション部分。
【請求項２１】
前面を有するハウジングを有するスイッチアセンブリのエスカッション部分であって、
オン位置とオフ位置との間の動きのために前記ハウジングの内部に回動可能に取り付けられたハンドルと、
前記前面上のプラットフォームと、
前記プラットフォームから分離され、かつ前記プラットフォームに対して比較的低い平面レスト領域であり、前記ハンドルが、前記オン位置において前記平面レスト領域に隣接する、平面レスト領域と、
前記プラットフォームから前記平面レスト領域まで延在する移行傾斜面と、
前記平面レスト領域に隣接する指領域と、
前記ハンドルが前記オン位置にあるとき、前記ハンドルを前記オフ位置へと手動で操作するために指が前記指領域内に挿入され得るように前記指領域を囲む周囲枠と
を備え、前記平面レスト領域、前記傾斜面、及び前記周囲枠が、対向する切欠きを画定し、かつ前記ハンドルの一部分が、前記オン位置で前記平面レスト領域に隣接し、前記切欠きの形状に一致するように略台形である断面プロファイルを有する、スイッチアセンブリのエスカッション部分。
【外国語明細書】
2017199674000001.pdf